(57)【要約】      （修正有）【課題】積み重ねられた樹脂版収納用段ボールケースをより安定した状態で保管ないしは搬送することができる梱包体を提供する。【解決手段】樹脂版収納用段ボールケース１０の梱包体は、積荷用のパレット３０と、パレット上に載置された台座４０と、台座上に積み重ねられた樹脂版収納用段ボールケース１０と、台座にはめ込まれ、樹脂版収納用段ボールケースを囲繞する囲繞部材５０と、囲繞部材の上部に設けられた蓋部材６０と、からなる。囲繞部材５０は、積み重ねられた樹脂版収納用段ボールケースの上部からはめ込み可能な矩形筒状の部材である。【選択図】図２
0003203232.tif 000002
【実用新案登録請求の範囲】
【請求項１】
積荷用のパレットと、
該パレット上に載置された台座と、
該台座上に積み重ねられた樹脂版収納用段ボールケースと、
前記台座にはめ込まれ、前記樹脂版収納用段ボールケースを囲繞する囲繞部材と、
前記囲繞部材の上部に設けられた蓋部材と、
からなることを特徴とする、樹脂版収納用段ボールケースの梱包体。
【請求項２】
前記パレット上で、前記樹脂版収納用段ボールケースを前記蓋部材および前記囲繞部材ごと緊縛する固定バンドをさらに含むことを特徴とする、請求項１に記載の樹脂版収納用段ボールケースの梱包体。
【請求項３】
前記囲繞部材は、積み重ねられた前記樹脂版収納用段ボールケースの上部からはめ込み可能な矩形筒状の部材であることを特徴とする、請求項１または２に記載の樹脂版収納用段ボールケースの梱包体。
【請求項４】
前記囲繞部材は、強化ダンボール製であることを特徴とする、請求項３に記載の樹脂版収納用段ボールケースの梱包体。
【請求項５】
前記パレットは矩形であり、該パレットの四辺のすべてに、フォークリフトのフォークを差し込み可能な空隙が設けられていることを特徴とする、請求項１から４のいずれか一項に記載の樹脂版収納用段ボールケースの梱包体。
【考案の詳細な説明】
【技術分野】
【０００１】
本考案は、樹脂版収納用段ボールケースに関する。
【背景技術】
【０００２】
フレキソ印刷用の感光性樹脂版をはじめとする各種樹脂版を収納するためのケースとして樹脂版収納用段ボールケースが利用されている。樹脂版収納用段ボールケースは、収納した樹脂版を保管し、あるいは輸送する手段として好適である（例えば、特許文献１参照）。
【０００３】
また、樹脂版収納用段ボールケースは、パレット上に積み重ねられた状態で保管され、さらにはその状態のままフォークリフトで搬送されることがある。
【先行技術文献】
【特許文献】
【０００４】
【特許文献１】特開平１１−１３００６７号公報
【考案の概要】
【考案が解決しようとする課題】
【０００５】
しかしながら、パレット上に積み重ねた樹脂版収納用段ボールケースの固定が不十分だと、安定して搬送することが難しくなることがあるし、収納された樹脂版の保護が不十分となることもある。
【０００６】
本考案は、積み重ねられた樹脂版収納用段ボールケースをより安定した状態で保管ないしは搬送することができる樹脂版収納用段ボールケースの梱包体を提供することを目的とする。
【課題を解決するための手段】
【０００７】
かかる課題を解決するべく、本考案に係る樹脂版収納用段ボールケースの梱包体は、
積荷用のパレットと、
該パレット上に載置された台座と、
該台座上に積み重ねられた樹脂版収納用段ボールケースと、
前記台座にはめ込まれ、前記樹脂版収納用段ボールケースを囲繞する囲繞部材と、
前記囲繞部材の上部に設けられた蓋部材と、
からなることを特徴とする。
【０００８】
この梱包体においては、積み重ねられた樹脂版収納用段ボールケースの周囲が囲繞部材によって囲繞されていることから、樹脂版収納用段ボールケースのずれが抑止され、当該囲繞部材の内側において樹脂版収納用段ボールケースが安定した状態で保持される。このため、樹脂版収納用段ボールケースをより安定した状態で保管し、あるいは搬送することができる。
【０００９】
この樹脂版収納用段ボールケースは、前記パレット上で、前記樹脂版収納用段ボールケースを前記蓋部材および前記囲繞部材ごと緊縛する固定バンドをさらに含むものであってもよい。
【００１０】
また、前記囲繞部材は、積み重ねられた前記樹脂版収納用段ボールケースの上部からはめ込み可能な矩形筒状の部材であってもよい。
【００１１】
前記囲繞部材は、強化ダンボール製であってもよい。
【００１２】
また、前記パレットは矩形であり、該パレットの四辺のすべてに、フォークリフトのフォークを差し込み可能な空隙が設けられていることが好ましい。
【考案の効果】
【００１３】
本考案によれば、積み重ねられた樹脂版収納用段ボールケースをより安定した状態で保管ないしは搬送することができる。
【図面の簡単な説明】
【００１４】
【図１】樹脂版収納用段ボールケース梱包体の一例を示す斜視図である。
【図２】樹脂版収納用段ボールケース梱包体の構成例を示す分解斜視図である。
【図３】樹脂版収納用段ボールケースの一例を示す全体斜視図である。
【図４】床材から蓋材を外した状態の樹脂版収納用段ボールケースの全体斜視図である。
【考案を実施するための形態】
【００１５】
以下、図面を参照しつつ本考案の好適な実施形態について詳細に説明する（図１等参照）。図１等においては、本考案を、樹脂版収納用段ボールケース１０を積み重ねて梱包した樹脂版収納用段ボールケース梱包体１００に適用した例を示しつつ説明する。
【００１６】
樹脂版収納用段ボールケース１０は、蓋材１、床材２、額縁材３を含む構成となっている。この樹脂版収納用段ボールケース１０には、フレキソ印刷用感光性樹脂版（図示省略）とともに、必要に応じて緩衝材（図示省略）などが収納される（図３、図４等参照）。
【００１７】
蓋材１は、床材２および額縁材３の上面に覆い被せられる被せ蓋であり、これら床材２および額縁材３と箱を形成する。本実施形態の蓋材１は、矩形の天面部１Ａと、該天面部１Ａの四辺で下向きに折り曲げられた４つの側面部１Ｂとからなる段ボールシートによって形成されている（図３、図４参照）。床材２および額縁材３に覆い被せられた蓋材１は、樹脂版収納用段ボールケース１０に収納されたフレキソ印刷用感光性樹脂版に光が照射されるのを防ぎ、樹脂版収納用段ボールケース１０に塵埃が入り込むのを抑止し、また、樹脂版収納用段ボールケース１０以外の箇所に接触する等によりフレキソ印刷用感光性樹脂版に傷が付くのを防止する。
【００１８】
床材２は、樹脂版収納用段ボールケース１０の床部分（底面部）を形成する部材であり、例えば、鉛直方向に孔が延びるハニカム構造の段ボールシートによって矩形に形成されることで、耐圧性能に優れたものとなる（図４参照）。この場合、樹脂版収納用段ボールケース１０に複数のフレキソ印刷用感光性樹脂版を積層して重量が嵩んだ場合にも、当該床材２の撓み、特に中央部付近における撓みが極力抑えられる。なお、必要に応じて、床材２の上面に、平坦面を有する床板材（図示省略）を設けてもよい。
【００１９】
額縁材３は、床材２の四辺に取り付けられて側壁を形成する。本実施形態では、床材２の長辺に取り付けられる一対の長額縁材３（３Ｌ）と、床材２の短辺に取り付けられる一対の短額縁材３（３Ｓ）とを採用している（図４参照）。長額縁材３（３Ｌ）の長さは、床材２の長辺の長さに略等しい。短額部材３（３Ｓ）の長さは、床材２の短辺の長さに比して、長額縁材３（３Ｌ）の幅２本分、短い（図４参照）。
【００２０】
なお、額縁材３は、相当程度の強度を備えた部材で構成されていることが好適である。このような額縁材３は、例えば複数の樹脂版収納用段ボールケース１０が積み上げられた場合に、当該樹脂版収納用段ボールケース（とくに、下方の樹脂版収納用段ボールケース）１０が潰れないように支え、内部に収納されたフレキソ印刷用感光性樹脂版に上から圧力が作用するのを抑止する。
【００２１】
続いて、樹脂版収納用段ボールケース梱包体１００について説明する。樹脂版収納用段ボールケース梱包体１００は、上述の樹脂版収納用段ボールケース１０の他、パレット３０、台座４０、スリーブ部材５０、蓋部材６０を含み、好ましくはさらに固定バンド７０を含む（図１、図２参照）。
【００２２】
パレット３０は、樹脂版収納用段ボールケース１０を積層して積載可能な積荷台である。本実施形態のパレット３０は、木製ないしは樹脂製であり、樹脂版収納用段ボールケース１０が積載可能な大きさの矩形である点で従来のものと大きく変わらない。ただし、本実施形態のパレット３０は、四辺のすべてに、フォークリフトのフォークを差し込み可能な空隙３１を備えており、前後左右のいずれからもフォークを差し込み運搬することが可能な構造となっている（図１、図２参照）。このため、運搬作業の効率化と、倉庫スペースの使用効率の向上を図ることができる。また、保管場所のスペースの減少させることができる。
【００２３】
台座４０は、パレット３０上に載置される座で、該パレット３０と樹脂版収納用段ボールケース１０との間に介在し、とくに最下段の樹脂版収納用段ボールケース１０を保護する。本実施形態の台座４０は矩形であり、その外寸は、スリーブ部材５０の内寸と同等である。また、本実施形態では厚さ１０〜３０［ｍｍ］程度の台座４０を採用し、樹脂版収納用段ボールケース１０を十分に保護するとともに、該台座４０に対しその外側にスリーブ部材５０をはめ込めるようにしている。
【００２４】
スリーブ部材（囲繞部材）５０は、パレット３０および台座４０の上に積層された樹脂版収納用段ボールケース１０（の積層体１５）を囲繞する部材である。本実施形態のスリーブ部材５０は、４つの面が連続する矩形の筒状に形成されており、積み重ねられた樹脂版収納用段ボールケース１０の上部から被せるようにし、台座４０にはめ込み可能である（図２参照）。
【００２５】
また、スリーブ部材５０は、軽量であって尚かつ所定の強度を備えるもの、例えば強化ダンボールで形成されたものであることが好ましい。この場合、当該スリーブ部材５０を持ち上げ、積み重ねられた樹脂版収納用段ボールケース１０の上部から被せるという手作業を行いやすく、また、使用時以外は畳んでおくことができる。
【００２６】
なお、ここでいう所定の強度とは、樹脂版収納用段ボールケース梱包体１００の上に別の樹脂版収納用段ボールケース梱包体１００を積み重ねることを可能にする程度の強度である。なお、本実施形態では、台座４０の外周にスリーブ部材５０をはめ込む構成としていることから、鉛直方向の荷重が作用した際、スリーブ部材５０の位置ずれ等に起因して支えられなくなることが抑制されている。
【００２７】
蓋部材６０は、スリーブ部材５０の上部に設けられ、スリーブ部材５０の開口部を塞ぐ（図１、図２参照）。本実施形態の蓋部材６０は、スリーブ部材５０の開口部の形状・大きさに合わせて形成されており、開口部にはめ込まれて、当該スリーブ部材５０の捻じれ、傾きといった変形を抑制する。
【００２８】
固定バンド７０は、パレット３０上に積み重ねられた樹脂版収納用段ボールケース１０を、スリーブ部材５０および蓋部材６０ごと緊縛する。本実施形態では、樹脂版収納用段ボールケース梱包体１００の両側各１箇所計２箇所にのみ、固定バンド７０を配置して樹脂版収納用段ボールケース１０等を緊縛している（図１参照）。
【００２９】
ここで、樹脂版収納用段ボールケース１０を梱包する際の手順の一例を示すと以下のとおりとなる。すなわち、
積荷用のパレット３０上に台座４０を載置し、
該台座４０上に樹脂版収納用段ボールケース１０を積み重ね、
樹脂版収納用段ボールケース１０の積層体１５を囲繞するスリーブ部材（囲繞部材）５０を、該積層体１５の上方から被せ、該スリーブ部材５０の下部を台座４０にはめ込み、
スリーブ部材５０の上部に蓋部材６０を設ける
ことにより、樹脂版収納用段ボールケース梱包体１００を構成する（図１、図２参照）。
【００３０】
この樹脂版収納用段ボールケース梱包体１００においては、積み重ねられた樹脂版収納用段ボールケース１０の周囲をスリーブ部材５０によって囲繞していることから、樹脂版収納用段ボールケース１０の位置ずれを抑止し、当該囲繞部材の内側において樹脂版収納用段ボールケース１０を安定した状態で保持することができる。このため、樹脂版収納用段ボールケース１０をより安定した状態で保管し、あるいは搬送することができる。
【００３１】
なお、上述の実施形態は本考案の好適な実施の一例ではあるがこれに限定されるものではなく本考案の要旨を逸脱しない範囲において種々変形実施可能である。例えば、上述した実施形態においては強化ダンボールで形成されたスリーブ部材５０を例示したが、これ以外の紙材、あるいは紙材以外の素材で形成されたスリーブ部材５０を採用してもよい。
【産業上の利用可能性】
【００３２】
本考案は、各種樹脂版を収納する樹脂版収納用段ボールケースの梱包体に適用して好適である。
【符号の説明】
【００３３】
１…蓋材
２…床材
３…額縁材
５…緩衝材
１０…樹脂版収納用段ボールケース
３０…パレット
３１…フォークリフトのフォークを差し込み可能な空隙
４０…台座
５０…スリーブ部材（囲繞部材）
６０…蓋部材
７０…固定バンド
１００…樹脂版収納用段ボールケース梱包体
【図１】
0003203232.tif 000003
【図２】
0003203232.tif 000004
【図３】
0003203232.tif 000005
【図４】
0003203232.tif 000006